(57)【要約】【課題】歯面や歯頸部、歯間部などの細部における歯垢除去力を高めると共に、振動による清掃実感が得られる電動歯ブラシを提供する。【解決手段】ヘッド部４の植毛面４ａに、同一径の植毛穴６が設けられ、植毛面４ａの中央部分に複数の植毛穴６がヘッド部４の長さ方向に並ぶことによって構成される中央植毛領域Ｓ１と、中央植毛領域Ｓ１を挟んだ両側に複数の植毛穴６がヘッド部４の長さ方向に並ぶことによって構成される外側植毛領域Ｓ２とが設けられ、中央植毛領域Ｓ１の各植毛穴６に、毛先に向かうに従って径が細くなる第１のテーパー用毛によって構成される第１の毛束が植設され、外側植毛領域Ｓ２の各植毛穴６に、第１のテーパー用毛よりも先端径の細い第２のテーパー用毛によって構成される第２の毛束が植設され、中央植毛領域Ｓ１に植設された第１の毛束の植毛密度が外側植毛領域Ｓ２に植設された第２の毛束の植毛密度よりも高く設定されている。【選択図】図２
0003148337.tif 000002
【実用新案登録請求の範囲】
【請求項１】
植毛面に複数の植毛穴が設けられたヘッド部を備え、電気的な駆動により振動を発生させながら、前記植毛面の各植毛穴に植設された毛束により口腔内を清掃する電動歯ブラシであって、
前記ヘッド部の植毛面には、同一径の植毛穴が設けられ、
前記植毛面の中央部分に複数の植毛穴が前記ヘッド部の長さ方向に並ぶことによって構成される中央植毛領域と、前記中央植毛領域を挟んだ両側に複数の植毛穴が前記ヘッド部の長さ方向に並ぶことによって構成される外側植毛領域とが設けられ、
前記中央植毛領域の各植毛穴には、毛先に向かうに従って径が細くなる第１のテーパー用毛によって構成される第１の毛束が植設され、
前記外側植毛領域の各植毛穴には、前記第１のテーパー用毛よりも先端径の細い第２のテーパー用毛によって構成される第２の毛束が植設され、
前記中央植毛領域に植設された第１の毛束の植毛密度が前記外側植毛領域に植設された第２の毛束の植毛密度よりも高く設定されていることを特徴とする電動歯ブラシ。
【請求項２】
前記中央植毛領域の先端側に位置する植毛穴、又は、前記中央植毛領域の先端側及び後端側に位置する植毛穴には、前記第２の毛束が植設され、前記外側植毛領域に植設された第２の毛束と共に、前記中央植毛領域に植設された第１の毛束の周囲を囲むように前記第２の毛束が配置されていること特徴とする請求項１に記載の電動歯ブラシ。
【請求項３】
前記中央植毛領域には、前記第２の毛束が３０％以下の割合で植設されていることを特徴とする請求項２に記載の電動歯ブラシ。
【請求項４】
前記中央植毛領域には、複数の植毛穴が前記ヘッド部の長さ方向に少なくとも２列以上並んで設けられていることを特徴とする請求項１〜３の何れか一項に記載の電動歯ブラシ。
【請求項５】
前記第１のテーパー用毛の先端径が４０〜８０μｍであり、前記第２のテーパー用毛の先端径が５〜３０μｍであることを特徴とする請求項１〜４の何れか一項に記載の電動歯ブラシ。
【請求項６】
前記中央植毛領域に植設された第１の毛束の植毛密度をρ１、前記外側植毛領域に植設された第２の毛束の植毛密度をρ２としたときに、
０．４０≦ρ１≦０．７０、
０．２０≦ρ２≦０．４０、
１．２≦ρ１／ρ２≦２．４
の関係を満足することを特徴とする請求項１〜５の何れか一項に記載の電動歯ブラシ。
【請求項７】
前記第１の毛束の最大高さをｔ１［ｍｍ］、前記第２の毛束の最大高さをｔ２［ｍｍ］としたときに、
０．５≦ｔ２−ｔ１≦２．０
の関係を満足すること特徴とする請求項１〜６の何れか一項に記載の電動歯ブラシ。
【考案の詳細な説明】
【技術分野】
【０００１】
本考案は、電気的に駆動される電動歯ブラシの改良に関するものである。
【背景技術】
【０００２】
近年、衛生志向の高まりにより様々な口腔内清掃具、口腔内洗浄剤などが開発されている。また、口腔内清掃具である歯ブラシでは、従来より歯面や歯頸部、歯間部などの細部における歯垢除去効果を高めるための様々な工夫が行われている（例えば、特許文献１〜３を参照。）。さらに、電気的に駆動される電動歯ブラシでも、歯垢除去効果を高めるための改良が行われている。
【０００３】
例えば、電気的な駆動により振動を発生させながら、ヘッド部に植設された毛束により口腔内を清掃する電動歯ブラシにおいて、毛先に向かって漸次径が細くなるテーパー用毛を用いたものが提案されている。テーパー用毛は、歯面や歯頸部、歯間部などの細部における歯垢除去効果を高めるのに大変有効である。
【０００４】
しかしながら、従来のテーパー用毛を用いた電動歯ブラシでは、歯の隙間における清掃性を高めることができる反面、毛腰が弱くなることによって歯面の清掃性が悪くなるといった欠点がある。また、テーパー用毛を用いた電動歯ブラシでは、そのテーパー形状に起因した応力分散により振動が干渉してしまい、振動による清掃実感が得られにくいといった課題がある。
【特許文献１】特開２００２−８５１５９号公報
【特許文献２】特開２００１−３４６６３２号公報
【特許文献３】特開平１１−７５９３９号公報
【考案の開示】
【考案が解決しようとする課題】
【０００５】
本考案は、このような従来の事情に鑑みて提案されたものであり、歯面や歯頸部、歯間部などの細部における歯垢除去力を高めると共に、振動による清掃実感が得られる電動歯ブラシを提供することを目的とする。
【課題を解決するための手段】
【０００６】
上記目的を達成するために、本考案は以下の手段を提供する。
すなわち、請求項１に係る考案は、植毛面に複数の植毛穴が設けられたヘッド部を備え、電気的な駆動により振動を発生させながら、前記植毛面の各植毛穴に植設された毛束により口腔内を清掃する電動歯ブラシであって、ヘッド部の植毛面に、同一径の植毛穴が設けられ、植毛面の中央部分に複数の植毛穴がヘッド部の長さ方向に並ぶことによって構成される中央植毛領域と、中央植毛領域を挟んだ両側に複数の植毛穴がヘッド部の長さ方向に並ぶことによって構成される外側植毛領域とが設けられ、中央植毛領域の各植毛穴に、毛先に向かうに従って径が細くなる第１のテーパー用毛によって構成される第１の毛束が植設され、外側植毛領域の各植毛穴に、第１のテーパー用毛よりも先端径の細い第２のテーパー用毛によって構成される第２の毛束が植設され、中央植毛領域に植設された第１の毛束の植毛密度が外側植毛領域に植設された第２の毛束の植毛密度よりも高く設定されていることを特徴とする電動歯ブラシである。
【０００７】
また、請求項２に係る考案は、中央植毛領域の先端側に位置する植毛穴、又は、中央植毛領域の先端側及び後端側に位置する植毛穴には、第２の毛束が植設され、外側植毛領域に植設された第２の毛束と共に、中央植毛領域に植設された第１の毛束の周囲を囲むように第２の毛束が配置されていること特徴とする請求項１に記載の電動歯ブラシである。
【０００８】
また、請求項３に係る考案は、中央植毛領域に、第２の毛束が３０％以下の割合で植設されていることを特徴とする請求項２に記載の電動歯ブラシ。
【０００９】
また、請求項４に係る考案は、中央植毛領域に、複数の植毛穴がヘッド部の長さ方向に少なくとも２列以上並んで設けられていることを特徴とする請求項１〜３の何れか一項に記載の電動歯ブラシである。
【００１０】
また、請求項５に係る考案は、第１のテーパー用毛の先端径が４０〜８０μｍであり、第２のテーパー用毛の先端径が５〜３０μｍであることを特徴とする請求項１〜４の何れか一項に記載の電動歯ブラシである。
【００１１】
また、請求項６に係る考案は、中央植毛領域に植設された第１の毛束の植毛密度をρ１、外側植毛領域に植設された第２の毛束の植毛密度をρ２としたときに、０．４０≦ρ１≦０．７０、０．２０≦ρ２≦０．４０、１．２≦ρ１／ρ２≦２．４の関係を満足することを特徴とする請求項１〜５の何れか一項に記載の電動歯ブラシである。
【００１２】
また、請求項７に係る考案は、第１の毛束の最大高さをｔ１［ｍｍ］、第２の毛束の最大高さをｔ２［ｍｍ］としたときに、０．５≦ｔ２−ｔ１≦２．０の関係を満足すること特徴とする請求項１〜６の何れか一項に記載の電動歯ブラシである。
【考案の効果】
【００１３】
以上のように、本考案の請求項１に係る電動歯ブラシでは、外側植毛領域よりも植毛密度が高く、なお且つ第２のテーパー用毛よりも先端径の太い第１のテーパー用毛からなる中央植毛領域の第１の毛束によって、歯面が効率良く刷掃されると共に、この中央植毛領域よりも植毛密度が低く、なお且つ第１のテーパー用毛よりも先端径の細い第２のテーパー用毛からなる外側植毛領域の第２の毛束によって、歯頸部及び歯間部が効率良く刷掃されるため、歯面や歯頸部、歯間部などの細部における歯垢除去力を高めることが可能である。また、植毛密度が高い中央植毛領域の第１の毛束は、第２のテーパー用毛よりも先端径の太い第１のテーパー用毛によって構成されるため、この第１の毛束による毛腰の強さが良好な振動伝達を生み出し、振動による清掃実感を向上させることが可能となる。さらに、ヘッド部の植毛面に同一径の植毛穴が設けられた電動歯ブラシでは、製造コストを上げることなく、歯垢除去効果と清掃実感との向上を図ることが可能である。
【００１４】
また、本考案の請求項２に係る電動歯ブラシでは、中央植毛領域に植設された第１の毛束の周囲を囲むように第２の毛束を配置することで、歯面の清掃性と歯の隙間における清掃性とを高めると共に、振動による清掃実感を向上させることができ、更に、毛先が歯茎に当たったときの当たり心地を良好なものとすることができる。
【００１５】
さらに、本考案の請求項３に係る電動歯ブラシでは、中央植毛領域に第２の毛束を３０％以下の割合で植設することで、歯面の清掃性と歯の隙間における清掃性とをバランスよく両立させることができる。
【００１６】
また、本考案の請求項４に係る電動歯ブラシでは、中央植毛領域に第１の毛束がヘッド部の長さ方向に少なくとも２列以上並んで植設されることで、これら第１の毛束によって歯面に対する十分な歯垢除去力と、振動による十分な清掃実感とを得ることができる。
【００１７】
また、本考案の請求項５に係る電動歯ブラシでは、第１のテーパー用毛の先端径を４０〜８０μｍとし、第２のテーパー用毛の先端径を５〜３０μｍとすることで、歯面の清掃性と歯の隙間における清掃性とをバランスよく両立させることができる。
【００１８】
また、本考案の請求項６に係る電動歯ブラシでは、中央植毛領域の植毛密度ρ１を０．４≦ρ１≦０．７とすることで、中央植毛領域における第１の毛束の毛腰を適度に強くする一方、外側植毛領域の植毛密度ρ２を０．２≦ρ２≦０．４とすることで、外側植毛領域における第２の毛束を適度に撓らせることが可能となる。そして、これら中央植毛領域に植設された第１の毛束の植毛密度ρ１に対する外側植毛領域に植設された第２の毛束の植毛密度ρ２の比ρ１／ρ２を１．２〜２．４とした場合には、外側植毛領域よりも植毛密度が高い中央植毛領域の第１の毛束によって、歯面が効率良く刷掃されると共に、この中央植毛領域よりも植毛密度が低い外側植毛領域の第２の毛束によって、歯頸部及び歯間部が効率良く刷掃されるため、歯面や歯頸部、歯間部などの細部における歯垢除去力を高めることができる。
【００１９】
また、本考案の請求項７に係る電動歯ブラシでは、前記第１の毛束の最大高さをｔ１［ｍｍ］、前記第２の毛束の最大高さをｔ２［ｍｍ］としたときに、０．５≦ｔ２−ｔ１≦２．０の関係を満足することで、外側植毛領域に植設された第２の毛束の歯頸部及び歯間部に対する毛先進入性を向上させることができる。また、毛先が歯面に当たったときに、毛丈の長い外側植毛領域の第２の毛束が自然に開き、毛先が歯頸部にフィットするため、毛先が歯頸部に当たる角度を気にすることなく、簡単な操作で歯頸部の刷掃効果を向上させることができる。
【考案を実施するための最良の形態】
【００２０】
以下、本考案を適用した電動歯ブラシについて、図面を参照して詳細に説明する。
なお、以下の説明で用いる図面は、特徴をわかりやすくするために、便宜上特徴となる部分を模式的に示している場合があり、各構成要素の寸法比率などが実際と同じであるとは限らない。また、場合によって毛束の図示を省略し、毛束が植毛される植毛穴のみを示すものとする。
【００２１】
本考案の一実施形態として図１に示す電動歯ブラシ１は、ハンドル部２と、このハンドル部２の一端から軸線方向に延長されたネック部３と、このネック部３の先端に着脱自在に取り付けられたヘッド部４とを有し、電気的な駆動により振動を発生させながら、このヘッド部４に植設された毛束５により口腔内を清掃するものである。
【００２２】
ハンドル部２は、使用者が把持する部分であり、その形状については特に限定されないものの、例えば略円柱状を為している。このハンドル部２の内部は、図示を省略するものの、例えばニッケルカドミウム電池やニッケル水素電池、リチウムイオン電池などの二次電池からなる内部電源と、各部の駆動を制御する制御回路とが配置された水密構造となっている。
【００２３】
また、内部電源として二次電池を搭載する場合には、外部電源（商用電源）から充電器を介して内部電源への充電が可能である。この場合、無接点充電方式を用いた方が使用性が高く安全性の点で望ましい。なお、内部電源としては、上述した二次電池の他にも、例えば一次電池（単３又は単４の乾電池）を搭載する構成としてもよい。
【００２４】
制御回路は、内部電源と接続されて、ハンドル部２に設けられた操作ボタンを使用者が操作した場合に、その操作に応じた制御信号を生成し、この制御信号に基づいて後述する振動子への電力供給、並びに振動子の駆動を制御する。なお、電動歯ブラシ１は、このような制御回路を含まない構成とすることも可能であり、操作ボタンを使用者が操作した場合に、内部電源から振動子へと電力を直接供給し、振動子が駆動されるようにしてもよい。
【００２５】
ネック部３は、ハンドル部２とヘッド部４との間を連結する部分であり、細長く括れた形状を有している。また、ネック部３の先端部には、ヘッド部４を着脱自在に装着するための取付機構が設けられている。なお、取付機構については、例えばネック部３の先端部にヘッド部４を外嵌めした状態で、ネック部３に設けられた係止爪（凸部）をヘッド部４に設けられた被係止穴（凹部）に係止するといったものであり、ヘッド部４を着脱自在に装着する構成であれば、このような構成に特に限定されるものではなく、従来公知の取付機構を用いることができる。また、ネック部３の形状については、図１に示すようなストレート形状に限らず、奥歯を磨き易いように緩やかなカーブ形状としてもよい。
【００２６】
ネック部３の先端部には、図示を省略するものの、超音波振動や音波振動などの振動を発生させる振動子が内蔵されている。この振動子は、配線を介して上記ハンドル部２内の制御回路と電気的に接続されている。なお、この配線は、中空のネック部３内に配置するか、インサート成形によってネック部３内に埋設して配置することができる。
【００２７】
ヘッド部４は、毛束５により口腔内を刷掃する部分であり、上述した振動子により振動を発生させながら、刷掃時に毛束５を振動させることによって、歯面や歯頸部、歯間部などの細部における歯垢除去効果を高めることが可能となっている。また、ヘッド部４は、ネック部３に対して着脱自在とすることによって、一定使用後に別のヘッド部（取替用ブラシ）と交換可能となっている。なお、電動歯ブラシ１では、上記ハンドル部２及びネック部３からなるブラシ本体に対してヘッド部４を交換可能としたもの以外にも、上記ハンドル部２からなるブラシ本体に対してネック部３及びヘッド部４からなる取替用ブラシを交換可能としたものであってもよい。
【００２８】
ヘッド部４は、口腔内を刷掃しやすい形状や大きさであればよく、その形状について特に限定されないものの、一般的に略直方体状を為している。なお、ヘッド部４の材質については、例えば、ポリプロピレン、ポリエチレン、ポリエチレンテレフタレート、ポリシクロヘキシレンジメチレンテレフタレート、飽和ポリエステル樹脂、ポリメタクリル酸メチル、プロピオン酸セルロース、ポリウレタン、ポリアミド、ＡＢＳ（アクロル二トリル・ブタジエン・スチレン）などの熱可塑性樹脂材料を挙げることができるが、これらの材料に必ずしも限定されるものではない。
【００２９】
ヘッド部４の一面（植毛面という。）４ａには、図２に示すように、同一径の植毛穴６が千鳥状に複数並んで配置されている。そして、毛束５は、複数本の刷毛（フィラメント）を束ねて二つ折りにし、その間に平線と呼ばれる金属製の抜止め具（図示せず。）を挟んで植毛穴６に打ち込むことによって、各植毛穴６に植設されている。なお、図２では、毛束５の図示を省略し、植毛穴６のみを図示している。
【００３０】
なお、植毛穴６は、千鳥状に複数並んで配置された構成に限らず、格子状に複数並んで配置された構成とすることも可能である。また、植毛穴６の内径は、植毛される毛束５の本数と相関があるので、毛束５の硬さや使用感に影響するが、植毛する際に用いる毛束５の太さや毛丈によって使用感はある程度調整可能ではあるが、一般に、１．０〜２．４ｍｍの範囲が好ましい。
【００３１】
毛束５は、その刷毛の材質について特に限定されないものの、例えば、ポリアミド（例：６−１２ナイロン、６−１０ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料を挙げることができる。また、これらの樹脂材料を複数組み合わせて用いてもよく、例えば芯鞘構造などのように、芯部と鞘部で異なる樹脂材料を用いることもできる。
【００３２】
刷毛の縦断面形状は、通常は円形であるが、そのような形状に限定されるものではなく、例えば、楕円形、三角形、四角形、六角形、星形、三つ葉のクローバー形、四つ葉のクローバー形など任意の形状とすることができる。
【００３３】
毛束５の毛丈は、ヘッド部４の植毛面４ａから、大人用で８ｍｍ〜１３ｍｍ、子供用で６ｍｍ〜９ｍｍとすることが好ましい。刷毛の太さ（最大径）は、口腔内の使用性や使用感の点から、０．１２ｍｍ〜０．２６ｍｍであることが好ましい。また、使用感や、刷掃感、清掃効果、耐久性など考慮して、太さの異なる複数本の刷毛を任意に組み合わせて用いてもよい。
【００３４】
毛束５の植毛方法としては、上述した刷毛の毛束５を二つ折りにし、その間に平線を挟んで植毛穴６に植設する平線植毛法以外にも、毛束５の下端をヘッド部４となる溶融樹脂中に圧入して固定する熱融着法や、毛束５の下端を加熱して溶融塊を形成した後に、金型のキャビティ内に溶融樹脂を充填してヘッド部５と一体に成形するインモールド法などを用いることができる。
【００３５】
ヘッド部４の植毛面４ａには、その中央部分に複数の植毛穴６がヘッド部４の長さ方向に並ぶことによって構成される中央植毛領域Ｓ１と、この中央植毛領域Ｓ１を挟んだ両側に複数の植毛穴６がヘッド部４の長さ方向に並ぶことによって構成される外側植毛領域Ｓ２とが設けられている。
【００３６】
なお、本例では、ヘッド部４の植毛面４ａに千鳥状に並ぶ複数の植毛穴６のうち、植毛面４ａの中央部分においてヘッド部４の長さ方向に並ぶ３列の植毛穴６によって中央植毛領域Ｓ１が構成されている。一方、この中央植毛領域Ｓ１を挟んだ両側において、それぞれヘッド部４の長さ方向に並ぶ２列の植毛穴６によって一対の外側植毛領域Ｓ２が構成されている。
【００３７】
そして、中央植毛領域Ｓ１の各植毛穴６には、図２及び図３に示すように、毛先に向かうに従って径が細くなるテーパー状の刷毛（以下、第１のテーパー用毛という。）によって構成される毛束５（以下、第１の毛束５ａという。）が植設されている。一方、外側植毛領域Ｓ２の各植毛穴６には、第１のテーパー用毛よりも先端径の細いテーパー状の刷毛（以下、第２のテーパー用毛という。）によって構成される毛束５（以下、第２の毛束５ｂという。）が植設されている。
【００３８】
さらに、中央植毛領域Ｓ１の先端側及び後端側に位置する植毛穴６ａ，６ｂには、それぞれ第２の毛束が植設されている。これにより、ヘッド部４の植毛面４ａには、これら中央植毛領域Ｓ１の先端側及び後端側に植設された第２の毛束５ｂと、外側植毛領域Ｓ２に植設された第２の毛束５ｂとが、中央植毛領域Ｓ１に植設された第１の毛束５ａの周囲を囲むように配置されている。
【００３９】
さらに、中央植毛領域Ｓ１に植設された第１の毛束５ａの植毛密度は、外側植毛領域Ｓ２に植設された第２の毛束５ｂの植毛密度よりも高く設定されている。なお、ここで言う「植毛密度」とは、［植毛穴の面積の総和］÷［植毛面積］で与えられる値のことであり、「植毛穴の面積の総和」とは、各植毛領域Ｓ１，Ｓ２を構成する植毛穴６の面積を足した値であり、「植毛面積」とは、「ＪＩＳ Ｓ ３０１６−１９９５」に準拠したものであり、各植毛領域Ｓ１，Ｓ２の外周に位置する各植毛穴６の外側を直線で結んだ囲み領域の面積で表される。
【００４０】
以上のような構造を有する電動歯ブラシ１では、外側植毛領域Ｓ２よりも植毛密度が高く、なお且つ第２のテーパー用毛よりも先端径の太い第１のテーパー用毛からなる中央植毛領域Ｓ１の第１の毛束５ａによって、歯面が効率良く刷掃されると共に、この中央植毛領域Ｓ１よりも植毛密度が低く、なお且つ第１のテーパー用毛よりも先端径の細い第２のテーパー用毛からなる外側植毛領域Ｓ２の第２の毛束５ｂによって、歯頸部及び歯間部が効率良く刷掃されるため、歯面や歯頸部、歯間部などの細部における歯垢除去力を高めることが可能である。
【００４１】
また、植毛密度が高い中央植毛領域Ｓ１の第１の毛束５ａは、第２のテーパー用毛よりも先端径の太い第１のテーパー用毛によって構成されるため、この第１の毛束５ａによる毛腰の強さが良好な振動伝達を生み出し、振動による清掃実感を向上させることが可能となる。さらに、ヘッド部４の植毛面４ａに同一径の植毛穴６が設けられた電動歯ブラシ１では、製造コストを上げることなく、歯垢除去効果と清掃実感との向上を図ることが可能である。
【００４２】
また、本考案を適用した電動歯ブラシ１では、中央植毛領域Ｓ１に植設された第１の毛束５ａの周囲を囲むように第２の毛束５ｂが配置されている。これにより、歯面の清掃性と歯の隙間における清掃性とを高めると共に、振動による清掃実感を向上させることができ、更に、毛先が歯茎に当たったときの当たり心地を良好なものとすることができる。
【００４３】
なお、本考案では、中央植毛領域Ｓ１の先端側及び後端側に位置する植毛穴６ａ，６ｂに第２の毛束５ｂが植設された構成に限らず、中央植毛領域Ｓ１の先端側に位置する植毛穴６ａに第２の毛束５ｂが植設された構成としてもよい。
【００４４】
さらに、本考案を適用した電動歯ブラシ１では、中央植毛領域Ｓ１に第２の毛束５ｂを３０％以下の割合で植設することで、歯面の清掃性と歯の隙間における清掃性とをバランスよく両立させることができる。なお、ここで言う中央植毛領域Ｓ１における第２の毛束５ｂの割合とは、中央植毛領域Ｓ１に設けられた植毛穴６の面積の総和に対する第２の毛束５ｂが植設された植毛穴６の面積の総和の割合（面積比）のことである。
【００４５】
また、本考案を適用した電動歯ブラシ１では、第１のテーパー用毛の先端径を４０〜８０μｍとし、第２のテーパー用毛の先端径を５〜３０μｍとすることで、歯面の清掃性と歯の隙間における清掃性とをバランスよく両立させることができる。
【００４６】
また、本考案を適用した電動歯ブラシ１では、中央植毛領域Ｓ１に複数の植毛穴６がヘッド部４の長さ方向に少なくとも２列以上並んで設けられていることが好ましい。これにより、中央植毛領域Ｓ１に第１の毛束５ａがヘッド部４の長さ方向に２列以上並んで植設されることになり、これら第１の毛束５ａによって歯面に対する十分な歯垢除去力と、振動による十分な清掃実感とを得ることができる。
【００４７】
また、本考案を適用した電動歯ブラシ１では、中央植毛領域Ｓ１に植設された第１の毛束５ａの植毛密度をρ１、外側植毛領域Ｓ２に植設された第２の毛束５ｂの植毛密度をρ２としたときに、０．４０≦ρ１≦０．７０、０．２０≦ρ２≦０．４０、１．２≦ρ１／ρ２≦２．４の関係を満足することが好ましい。
【００４８】
本考案を適用した電動歯ブラシ１では、中央植毛領域Ｓ１の植毛密度ρ１を０．４０≦ρ１≦０．７０の範囲、より好ましくは０．５０≦ρ１≦０．６０の範囲とすることで、中央植毛領域Ｓにおける第１の毛束５ａの毛腰を適度に強くする一方、外側植毛領域Ｓ２の植毛密度ρ２を０．２０≦ρ２≦０．４０の範囲、より好ましくは０．３０≦ρ２≦０．４０の範囲とすることで、外側植毛領域Ｓ２における第２の毛束５ｂを適度に撓らせることが可能となる。
【００４９】
そして、これら中央植毛領域Ｓ１に植設された第１の毛束５ａの植毛密度ρ１に対する外側植毛領域Ｓ２に植設された第２の毛束５ｂの植毛密度ρ２の比（以下、植毛密度比という。）ρ１／ρ２を１．２〜２．４の範囲とした場合には、外側植毛領域Ｓ２よりも植毛密度が高い中央植毛領域Ｓ１の第１の毛束５ａによって、歯面が効率良く刷掃されると共に、この中央植毛領域Ｓ１よりも植毛密度が低い外側植毛領域Ｓ２の第２の毛束５ｂによって、歯頸部及び歯間部が効率良く刷掃されるため、歯面や歯頸部、歯間部などの細部における歯垢除去力を高めることができる。
【００５０】
また、本考案を適用した歯ブラシ１では、図３に示すように、中央植毛領域Ｓ１に植設された第１の毛束５ａの最大高さをｔ１［ｍｍ］、外側植毛領域Ｓ２に植設された第２の毛束５ｂの最大高さをｔ２［ｍｍ］としたときに、０．５≦ｔ２−ｔ１≦２．０の関係を満足することが好ましい。
【００５１】
すなわち、この歯ブラシ１では、中央植毛領域Ｓ１に植設された第１の毛束４の最大高さｔ１を、外側植毛領域Ｓ２に植設された毛束５の最大高さｔ２よりも低くすることで、外側植毛領域Ｓ２に植設された第２毛束５ｂの歯頸部及び歯間部に対する毛先進入性を向上させることが可能である。また、毛先が歯面に当たったときに、毛丈の長い外側植毛領域Ｓの第２の毛束５ｂが自然に開き、毛先が歯頸部にフィットするため、毛先が歯頸部に当たる角度を気にすることなく、簡単な操作で歯頸部の刷掃効果を向上させることが可能である。
【００５２】
したがって、この歯ブラシ１では、上述した中央植毛領域Ｓ１における第１の毛束５ａと外側植毛領域Ｓ２における第２の毛束５ｂとの毛丈差ｔ２−ｔ１を、０．５〜２．０の範囲、より好ましくは１．０〜１．５の範囲とすることで、歯面の清掃性と歯茎への当たり心地を良好なものとすることが可能である。
【実施例】
【００５３】
以下、実施例により本考案の効果をより明らかなものとする。なお、本考案は、以下の実施例に限定されるものではなく、その要旨を変更しない範囲で適宜変更して実施することができる。
【００５４】
（実施例１〜６及び比較例１〜６）
本実施例では、先ず、表１に示すように、「植毛穴配置（植毛穴径）」、「植毛密度比（ａ）／（ｂ）」、「第１の毛束（ａ），第２の毛束（ｂ）」の種類、「毛丈差」、及び「振動数」を異ならせた実施例１〜６及び比較例１〜４の電動歯ブラシを作製した。
【００５５】
【表１】
0003148337.tif 000003
【００５６】
次に、これら実施例１〜６及び比較例１〜４の歯ブラシについて、「歯面及び歯頸部の歯垢除去率」による清掃性の評価、及び「歯面の刷掃実感」、「歯頸部の刷掃実感」、「振動による歯垢除去実感」、「歯グキへの当たり心地」による使用感の評価、並びにこれらの「総合評価」を行った。その評価結果を表２に示す。
【００５７】
【表２】
0003148337.tif 000004
【００５８】
なお、「歯面及び歯頸部の歯垢除去率」については、ライオン社製のブラッシングマシーンを用いて、顎模型の歯に塗布した人工プラークの除去率を「歯面」及び「歯頸部」について測定し、その評価を行った。その評価基準は以下のとおりである。
また、ブラッシングマシーンの刷掃条件は、ブラッシング力＝２００ｇ、ストローク＝２０ｍｍ、速度＝４０ｍｍ／ｓｅｃである。除去率は、上顎第２小臼歯と第１大臼歯と第２大臼歯に人工プラークを塗布し、刷掃後に画像解析によって求めた。
＜歯面の歯垢除去率＞
○…「８０％以上」  
△…「７０％以上〜８０％未満」  
×…「７０％未満」  
＜歯頸部の歯垢除去率＞
○…「７０％以上」  
△…「５０％以上〜７０％未満」  
×…「５０％未満」  
【００５９】
一方、「歯面の刷掃実感」、「歯頸部の刷掃実感」、「振動による歯垢除去実感」、及び「歯グキへの当たり心地」については、１０名の専門パネラーによる官能評価を行い、「良い」と感じた専門パネラーの数から、以下の３段階による評価を行った。
＜評価基準＞
○…「７人以上」  
△…「４〜６人」  
×…「３以下」  
【００６０】
また、「総合評価」については、以下のとおりである。
◎…「非常に良い。」  
○…「良い。」  
△…「どちらともいえない。」  
×…「悪い。」  
【００６１】
表２に示す評価結果から、実施例１〜６の電動歯ブラシは、比較例１〜４の電動歯ブラシと比較して、「歯面及び歯頸部の歯垢除去率」、「歯面の刷掃実感」、「歯頸部の刷掃実感」、「振動による歯垢除去実感」、及び「歯グキへの当たり心地」の何れの評価も良好な結果を示したことから、総合評価について良好な結果が得られた。
【図面の簡単な説明】
【００６２】
【図１】図１は、本考案を適用した電動歯ブラシの一例を示す側面図である。
【図２】図２は、図１中に示すヘッド部を植毛面側から見た平面図である。
【図３】図３は、図２中に示すヘッド部のＡ−Ａ’断面図である。
【符号の説明】
【００６３】
１…電動歯ブラシ  ２…ハンドル部  ３…ネック部  ４…ヘッド部  ４ａ…植毛面  ５…毛束  ５ａ…第１の毛束  ５ｂ…第２の毛束  ６，６ａ，６ｂ…植毛穴  Ｓ１…中央植毛領域  Ｓ２…外側植毛領域
【図１】
0003148337.tif 000005
【図２】
0003148337.tif 000006
【図３】
0003148337.tif 000007